(57)【特許請求の範囲】
【請求項１】
釣り竿に装着され、ハンドルの回転により前記釣り竿に沿う第１軸回りに釣り糸を巻き取るスピニングリールであって、
前記釣り竿に装着され、先端側が開口した筒状部が前部に形成されたリール本体と、
前記リール本体に前記第１軸方向に移動可能に装着された糸巻用のスプールと、
前記ハンドルの回転により前記スプールを前後移動させるオシレーティング機構と、
前記リール本体に前記第１軸回りに回転自在に装着され、前記スプールに釣り糸を案内するロータと、
前記ロータの内周部に形成されたボス部が回転不能に装着され前記筒状部内で前記リール本体に前記第１軸回りに回転自在に支持され前記筒状部内から前記リール本体内部に貫通して配置されたピニオンギアを有し、前記ハンドルの回転により前記ロータを回転させるロータ駆動機構と、
前記筒状部の内周面に回転不能に装着された外側部材と、前記外側部材の内周側に配置され前記ピニオンギアに対して回転不能な内側部材と、前記両部材の間に配置され前記両部材の間にくい込む作動位置と前記両部材間で遊転する非作動位置とをとり得る複数の転がり部材とを有するローラ型のワンウェイクラッチと、
前記ボス部の後端部と前記内側部材の先端部との間に装着されるキャップ部材と、
前記筒状部に対して軸方向に移動不能に配置され、前記外側部材の前部に接触して前記外側部材と前記転がり部材とを覆うように設けられ、前記キャップ部材の外周面に接触し断面が先細りのリップ部を内周側に有する少なくとも一部が弾性体製の部材であって、前記筒状部の開口端をシールするシール部材と、
を備えたスピニングリール。
【請求項２】
前記筒状部は、前記第１軸と同芯に配置された円筒形状である、請求項１に記載のスピニングリール。
【請求項３】
前記筒状部の内部に装着され、前記ロータの糸巻取方向の回転を許可する逆転許可状態と禁止する逆転禁止状態とをとり得る前記ワンウェイクラッチと、前記ワンウェイクラッチを前記筒状部の内周部後方から操作して前記２つの状態のいずれかに切り換えるための切換操作部とを有する逆転防止機構をさらに備える、請求項１又は２に記載のスピニングリール。
【請求項４】
前記切換操作部は、
前記複数の転がり部材を周方向に間隔を隔てて保持し、かつ前記転がり部材を一括して前記作動位置と非作動位置とに移動可能に前記筒状部に回動自在に配置された切換部と、
前記リール本体に前記第１軸と平行な軸回りに揺動自在に装着され一端が前記リール本体の外部に突出し他端が前記リール本体内部から前記筒状部の内周側に貫通する操作部と、
前記操作部の他端に設けられ、前記筒状部の内周側で前記切換部に係合して前記操作部の揺動により前記切換部を回動させる作用部とを有する、請求項３に記載のスピニングリール。
【請求項５】
前記操作部の一端は、前記リール本体の後部に突出するレバー形状である、請求項４に記載のスピニングリール。
【請求項６】
前記操作部の一端は、前記リール本体の前記釣り竿から離反する方向に突出するレバー形状である、請求項４に記載のスピニングリール。
【請求項７】
前記オシレーティング機構は、
前記第１軸と平行に配置され表面に交差する螺旋状の溝が形成され、前端が前記筒状部の内周側で前記リール本体に回転自在に支持された螺軸と、
前記リール本体に前後移動自在に支持され、前記螺旋状溝に係合するスライダと、
前記螺軸に前記ピニオンギアの回転を伝達する回転伝達機構とを有する、請求項１から６のいずれかに記載のスピニングリール。
【発明の詳細な説明】
【０００１】
【発明の属する技術分野】
本発明は、釣り用リール、特に、釣り竿に装着され、釣り竿に沿う軸回りに釣り糸を巻き取るスピニングリールに関する。
【０００２】
【従来の技術】
一般に、スピニングリールは、釣り竿に装着され釣り竿に沿う軸回りに釣り糸を巻き取るリールである。スピニングリールは、釣り竿に装着されるリール本体と、リール本体に軸方向に移動可能に装着された糸巻用のスプールと、リール本体に軸回りに回転自在に装着され、スプールに釣り糸を案内するロータとを有している。
【０００３】
リール本体の内部には、ハンドルの回転をロータに伝達するためのフェースギアとピニオンギアとからなるロータ駆動機構や、スプールを前後に往復移動させるオシレーティング機構などの駆動機構が設けられている。ロータは、ピニオンギアの前端に回転不能に固定されている。また、ロータは、逆転防止機構により糸巻取方向の回転が許可・禁止される。
【０００４】
この種のスピニングリールにおいて、リール本体の前部に円筒形の筒状部を突出して形成したものが実開昭６２−８０５６７号公報及び特開平６−５８３４８号公報に開示されている。
【０００５】
前者の公報に開示されたスピニングリールは、筒状部内にピニオンギアを支持する軸受が１対配置されている。ピニオンギアは、リール本体の内部に延びており、筒状部の内部は、リール本体の内部と連通している。
【０００６】
後者の公報に開示されたスピニングリールは、筒状部内にローラ型のワンウェイクラッチを有する逆転防止機構やピニオンギアを支持する軸受が配置されている。逆転防止機構は、リール本体の前部とピニオンギアとの間に装着されており、ピンオンギアの逆転を禁止することによりロータの逆転を防止している。逆転防止機構は、逆転を禁止する作動位置と逆転を許可する非作動位置とをとり得るローラ型のワンウェイクラッチと、ワンウェイクラッチを作動位置と非作動位置とに切り換える切換機構とを備えている。
【０００７】
ワンウェイクラッチは、筒状部に回転不能に装着された外輪と、外輪に対して相対回転可能な内輪と、外輪と内輪との間に配置され両輪の間にくい込む作動位置と両輪間で遊転する非作動位置とをとり得る複数の転がり部材と、転がり部材を周方向に間隔を隔てて保持するとともに前後端を保持する環状保持体とを有している。外輪は、筒状部にねじ込まれたネジにより軸方向移動不能に装着されている。環状保持体は、内輪に回転自在に装着されている。
【０００８】
切換機構は、外輪の前方で環状保持体に回動自在に連結され、転がり部材を作動位置と非作動位置とに切り換え保持する切換部材と、切換部材を回動させるための切換レバーとを有している。切換部材は、一端が環状保持体に回転自在に装着され他端が径方向に延びている。切換レバーは、筒状部の外周側で切換部材の他端に係合しており、係合部分からリール本体を貫通してリール本体の後部に突出している。
【０００９】
このような構成の逆転防止機構を有する従来のスピニングリールでは、ハンドルの糸巻取方向に回転するとピニオンギアが糸巻取方向に回転し、ロータが糸巻取方向に回転する。一方、転がり部材が作動位置に変位した状態でキャスティング時等にロータに逆転方向の力が作用しても、ピニオンギアの逆転が禁止されているのでロータの逆転が防止される。
【００１０】
【発明が解決しようとする課題】
前記従来の構成では、いずれも筒状部の内部にピニオンギアを支持する軸受が設けられているため、筒状部から海水等の液体が浸入して軸受が腐食すると、ロータの回転効率が低下しやすい。しかも、筒状部はリール本体内部に連通しているので、筒状部からさらにリール本体内部に液体が浸入すると、オシレーティング機構やロータ駆動機構等の駆動機構が腐食してさらに回転効率が低下する。特に、後者の従来の構成では、筒状部内に軸受に加えてローラ型のワンウェイクラッチが配置されているので、それが腐食するとロータの回転効率がさらに低下する。
【００１１】
しかも、後者の公報に開示された従来のスピニングリールでは、切換機構が外輪の前方側で逆転防止機構の状態を切り換えているので、環状保持体に連結された切換部材が筒状部の前方に位置している。回動する切換部材が筒状部の前方に位置していると、リール本体の筒状部の先端側が防水しにくい構造になり、リール本体の筒状部の開口部分を確実に防水しにくい。このため、筒状部を含むリール本体の内部に液体が浸入するおそれがある。しかも、リール本体を貫通する切換レバーが筒状部の外方で切換部材に係合しているので、切換レバーの貫通部分もシールする必要があり、リール本体を防水するための構造が複雑になる。
【００１２】
本発明の課題は、筒状部を有するスピニングリールにおいて、筒状部からの液体の浸入を簡素な構造で確実に防止できるようにすることにある。
【００１３】
【課題を解決するための手段】
発明１に係るスピニングリールは、釣り竿に装着され、釣り竿に沿う第１軸回りに釣り糸を巻き取るリールであって、リール本体と、スプールと、オシレーティング機構と、ロータと、ロータ駆動機構と、ワンウェイクラッチと、キャップ部材と、シール部材とを備えている。リール本体は、釣り竿に装着され、先端側が開口した筒状部が前部に形成されたものである。スプールは、リール本体に第１軸方向に移動可能に装着された糸巻用のものである。オシレーティング機構は、ハンドルの回転によりスプールを前後移動させる機構である。ロータは、リール本体に軸回りに回転自在に装着され、スプールに釣り糸を案内するものである。ロータ駆動機構は、ロータの内周部に形成されたボス部が回転不能に装着され筒状部内でリール本体に第１軸回りに回転自在に支持され筒状部内からリール本体内部に貫通して配置されたピニオンギアを有し、ハンドルの回転によりロータを回転させる機構である。ワンウェイクラッチは、筒状部の内周面に回転不能に装着された外側部材と、外側部材の内周側に配置されピニオンギアに対して回転不能な内側部材と、両部材の間に配置され両部材の間にくい込む作動位置と両部材間で遊転する非作動位置とをとり得る複数の転がり部材とを有するローラ型のワンウェイクラッチである。シール部材は、筒状部に対して軸方向に移動不能に配置され、外側部材の前部に接触して外側部材と転がり部材とを覆うように設けられ、キャップ部材の外周面に接触し断面が先細りのリップ部を内周側に有する少なくとも一部が弾性体製の部材であって、筒状部の開口端をシールする部材である。
【００１４】
このスピニングリールでは、リール本体の前部に筒状部が形成されており、この筒状部の内部にピニオンギアが回転自在に支持されかつリール本体内部に貫通して配置されている。また、筒状部の開口端がシール部材によりシールされている。ここでは、筒状部の開口端をシール部材でシールしているので、筒状部からの液体の浸入を簡素な構造で確実に防止できる。さらに、この場合には、ワンウェイクラッチ全体の軸方向の移動を、シール部材に抜け止め構造を設けることにより規制でき、ネジなどの取付スペースが不要になり、装置全体の小型化を図ることができる。さらに、この場合には、シール部材のピニオンギアとともに回転する内側部材に当接する部分に先細りのリップ部を設けたので、内側部材との接触抵抗が小さくなり、防水構造を採用してもロータの回転抵抗の増加を可及的に抑えることができる。
【００１５】
発明２に係るスピニングリールは、発明１に記載のリールにおいて、筒状部は、第１軸と同芯に配置された円筒形状である。この場合には、筒状部がロータの回転軸、つまりピニオンギアと同芯に配置された円筒形状であるので、筒状部の開口部分の防水構造がより簡素になる。
【００１６】
発明３に係るスピニングリールは、発明１又は２に記載のリールにおいて、筒状部の内部に装着され、ロータの糸巻取方向の回転を許可する逆転許可状態と禁止する逆転禁止状態とをとり得るワンウェイクラッチと、ワンウェイクラッチを筒状部の内周部後方から操作して２つの状態のいすれかに切り換えるための切換操作部とを有する逆転防止機構をさらに備える。この場合には、筒状部に液体が浸入にくいので、筒状部内に配置されたワンウェイクラッチが腐食しにくくなる。また、切換操作部によって筒状部の内周部後方からワンウェイクラッチを切換操作できるので、筒状部の先端側には切換操作部を構成する部材が突出しない。また、筒状部の外周面より径方向外方でリール本体を貫通する部材も必要ない。このため、ワンウェイクラッチを筒状部内に設けても、単純な形状のシール部材で筒状部の内部をシールすることができるとともに、簡素な構造でリール本体を確実に防水できる。
【００１７】
発明４に係るスピニングリールは、発明３に記載のリールにおいて、切換操作部は、複数の転がり部材を周方向に間隔を隔てて保持し、かつ転がり部材を一括して作動位置と非作動位置とに移動可能に筒状部に回動自在に配置された切換部と、リール本体に第１軸と平行な軸回りに揺動自在に装着され一端がリール本体の外部に突出し他端がリール本体内部から筒状部の内周側に貫通する操作部と、操作部の他端に設けられ、筒状部の内周側で切換部に係合して操作部の揺動により切換部を回動させる作用部とを有する。この場合には、操作部の一端を持って操作部を揺動させると、作用部が切換部を回動させて転がり部材を作動位置と非作動位置とに移動させる。ここでは、操作部の揺動によって筒状部の内周側で作用部を介して切換部を回動させているので、筒状部の内周側でワンウェイクラッチの状態を確実に切り換えでき、筒状部の先端部の開口をシール部材によってシールするだけで筒状部の内部を含むリール本体を簡素な構造で確実に防水できる。
【００１８】
発明５に係るスピニングリールは、発明４に記載のリールにおいて、操作部の一端は、リール本体の後部に突出するレバー形状である。この場合には、リール本体の後部で逆転防止機構を操作できるので、釣り竿を持つ手の小指などで手を持ち替えることなく逆転防止機構を操作できる。
【００１９】
発明６に係るスピニングリールは、発明４に記載のリールにおいて、操作部の一端は、リール本体の前記釣り竿から離反する方向に突出すレバー形状である。この場合には、リール本体の下部（釣り竿から離反した側）で逆転防止機構を操作できるので、ハンドルを持つ手の小指などで手を持ち替えることなく逆転防止機構を操作できる。
【００２０】
発明７に係るスピニングリールは、発明１から６のいずれかに記載のリールにおいて、オシレーティング機構は、第１軸と平行に配置され表面に交差する螺旋状の溝が形成され、前端が筒状部の内周側でリール本体に回転自在に支持された螺軸と、リール本体に前後移動自在に支持され、螺旋状溝に係合するスライダと、螺軸にピニオンギアの回転を伝達する回転伝達機構とを有する。この場合には、螺軸の前端が筒状部の内周側でリール本体に支持されかつ筒状部の開口端がシール部材でシールされているので、リール本体を貫通して螺軸の支持部を設けても螺軸の支持部分からリール本体内部に液体が浸入しにくい。
【００２１】
【発明の実施の形態】
〔全体構成及びリール本体の構成〕
図１及び図２において、本発明の一実施形態を採用したスピニングリールは、ハンドル１と、ハンドル１を回転自在に支持するリール本体２と、ロータ３と、スプール４とを備えている。ロータ３は、釣り糸をスプール４に案内するものであり、リール本体２の前部に回転自在に支持されている。スプール４は、釣り糸を外周面に巻き取るものであり、ロータ３の前部に前後移動自在に配置されている。
【００２２】
ハンドル１は、Ｔ字状の把手部１ａと、先端に把手部１ａが回転自在に装着されたＬ字状のクランクアーム１ｂとを有している。クランクアーム１ｂは、基端側においてワンタッチで折れ曲がり可能である。なお、ハンドル１は、リール本体２に対して、図１に示す右側と逆の左側との左右どちらにも装着可能である。
【００２３】
リール本体２は、側部に開口を有するリールボディ２ａと、リールボディ２ａから斜め上前方に一体で延びるＴ字状の竿取付脚２ｂとを有している。リール本体２は、たとえば、アルミニウム合金やマグネシウム合金などの金属製のものである。
【００２４】
リールボディ２ａは、内部に機構装着用の空間を有している。この空間内には、ロータ３をハンドル１の回転に連動して回転させるロータ駆動機構５と、スプール４を前後に移動させて釣り糸を均一に巻き取るためのオシレーティング機構６とが設けられている。
【００２５】
リールボディ２ａの前端には、図２に示すように、先端に開口を有する筒状部１４が前方に突出して形成されている。筒状部１４には、ロータ３の逆転を禁止する逆転防止機構１３が収納されている。筒状部１４は、奥側の小径の第１筒部１４ａと第１筒部１４ａの前方に第１筒部１４ａより大径に形成され先端が開口する第２筒部１４ｂとを有する２段構造の円筒形の部分である。第２筒部１４ｂの開口側には、環状の係止溝１４ｄが形成されている。
【００２６】
第１筒部１４ａは、後述するピニオンギア１２を支持するための孔であり、リールボディ２ａの内部に貫通している。第１筒部１４ａと第２筒部１４ｂとの段差部１４ｃには、図５に示すように、オシレーティング機構６の後述する螺軸２１の前端を支持するための第１貫通孔２０ａと、逆転防止機構１３の後述する操作ロッド６２の先端が貫通する第２貫通孔２０ｂとが形成されている。また、後述する規制部材１７を固定するための３つのネジ孔２０ｃが形成されている。
【００２７】
ロータ駆動機構５は、図１に示すように、ハンドル１が回転不能に装着され左右方向に沿って配置されたハンドル軸１０と、ハンドル軸１０と一体回転するフェースギア１１と、フェースギア１１に噛み合うピニオンギア１２と、ロータ３の糸繰り出し方向の回転を防止する逆転防止機構１３とを有している。ハンドル軸１０の両端は、軸受を介してリールボディ２ａに回転自在に支持されている。フェースギア１１は、ハンドル軸１０の中間にハンドル軸１０と一体又は別体で設けられた部材である。
【００２８】
ピニオンギア１２は、フェースギア１１と食い違う前後方向に沿って配置された、たとえば銅亜鉛合金（真鍮）製の筒状の部材であり、その後部にフェースギア１１に噛み合う歯部１２ｄが形成されている。ピニオンギア１２の前部１２ａはロータ３の中心部を貫通している。ピニオンギア１２の内周側にはスプール軸１５が貫通している。ピニオンギア１２の前部１２ａの外周面には、雄ネジ部１２ｂが形成されており、この雄ネジ部１２ｂに螺合する、例えばステンレス合金製のナット３３によりロータ３と回転不能に固定されている。また、ピニオンギア１２の前部１２ａの外周面には、ロータ３及び逆転防止機構１３を回転不能に装着するための互いに平行な面取り部１２ｃ（図３）が形成されている。
【００２９】
ピニオンギア１２は、筒状部１４を貫通してリールボディ２ａの内部に延びて配置されており、その軸方向の中間部と後端部とが、それぞれ軸受１６，１９を介してリール本体２に回転自在に支持されている。軸受１６は、筒状部１４の第１筒部１４ａに軸方向後方（図２右側）への移動が規制された状態で装着されている。軸受１６は、ピニオンギア１２に装着された内輪１６ａと、第１筒部１４ａに装着された外輪１６ｂと、両輪１６ａ，１６ｂに接触して転動する鋼球１６ｃとを有するボールベアリングである。軸受１６の内輪１６ａは、ピニオンギア１２の歯部１２ｄの前端部に接触して配置されている。外輪１６ｂは、第１筒部１４ａに軸方向後方への移動が規制された状態で装着されており、かつ規制部材１７により軸方向前方への移動が規制されている。軸受１９は、リールボディ２ａの内部に配置されている。
【００３０】
規制部材１７は、ワッシャ状の円板部材であり、第１筒部１４ａと第２筒部１４ｂとの段差部１４ｃに、ネジ孔２０ｃにねじ込まれる、たとえば３本の皿ネジ１８により固定されている。この規制部材１７の前面に接触して逆転防止機構１３が第２筒部１４ｂに装着されている。この規制部材１７によりピニオンギア１２を介して軸受１６にスラスト力が作用しても軸受１６から逆転防止機構１３にスラスト力が伝達されない。
【００３１】
オシレーティング機構６は、スプール４を前後方向に移動させるための機構である。オシレーティング機構６は、図１に示すように、スプール軸１５に平行に配置された螺軸２１と、螺軸２１に沿って前後方向に移動するスライダ２２と、螺軸２１の先端に固定された中間ギア２３とを有している。螺軸２１の表面には、交差する螺旋状溝２１ａが形成されており、スライダ２２には螺旋状溝２１ａに係合する係合部材（図示せず）が装着されている。螺軸２１の前端は、第１貫通孔２０ａ内で軸受（図示せず）により回転自在に支持されている。スライダ２２には、スプール軸１５の後端が回転不能に固定されている。中間ギア２３は、図示しない回転伝達機構を介してピニオンギア１２に噛み合っている。
【００３２】
ロータ３は、ピニオンギア１２に固定された円筒部３０と、円筒部３０の側方に互いに対向して設けられた第１及び第２ロータアーム３１，３２と、釣り糸をスプール４に案内するための釣り糸案内機構としてのベールアーム３４とを有している。円筒部３０と両ロータアーム３１，３２とは、たとえば、マグネシウム合金製であり一体成形されている。円筒部３０の内周部には、中心にボス部３５を有する壁部３６が形成されており、ボス部３５を貫通したピニオンギア１２の前部１２ａにナット３３により回転不能に固定されている。
【００３３】
なお、ロータ３がマグネシウム合金製であり、ピニオンギア１２が真鍮製であり、ナット３３がステンレス合金製であるため、ロータ３とピニオンギア１２及びナット３３との間のイオン化傾向が大きく異なっている。このため、マグネシウム合金製のロータ３と真鍮製のピニオンギア１２やナット３３とが直接接触するとロータ３が電解腐食しやすい。このため、この実施形態では、ボス部３５とピニオンギア１２との間及びボス部３５とナット３３との間に合成樹脂等の誘電体製のフランジ部材３７が介装されている。このフランジ部材３７の円筒部３７ａは、ボス部３５とピニオンギア１２の前部１２ａとの間に配置されており、鍔部３７ｂがボス部３５とナット３３との間に配置されている。
【００３４】
ベールアーム３４は、両ロータアーム３１，３２の先端に糸案内姿勢と糸開放姿勢との間で揺動自在に装着されている。ベールアーム３４は、ロータアーム３１，３２の先端にそれぞれ揺動自在に装着された第１及び第２ベール支持部材４０，４２と、両ベール支持部材４０，４２を連結する線材製のベール４１とを有している。第１ベール支持部材４０は、第１ロータアーム３１の外側に揺動自在に装着され、第２ベール支持部材４２は、第２ロータアーム３２の内側に装着されている。第１ベール支持部材４０の先端には、ラインローラ４４が回転自在に装着されている。ラインローラ４４は、ベール４１により案内された釣り糸をスプール４に円滑に案内するために設けられている。
【００３５】
スプール４は、ロータ３の第１ロータアーム３１と第２ロータアーム３２との間に配置されており、スプール軸１５の先端にドラグ機構７０を介して装着されている。
〔逆転防止機構の構成〕
逆転防止機構１３は、図２〜図４に示すように、第２筒部１４ｂに収納され、ロータ３の逆転を禁止する逆転禁止状態と逆転を許可する逆転許可状態とを取り得るローラ型のワンウェイクラッチ５１と、ワンウェイクラッチ５１を逆転禁止状態及び逆転許可状態に切り換える操作を行うための切換操作機構５２とを有している。
【００３６】
ワンウェイクラッチ５１は、第２筒部１４ｂに相対回転不能に装着された外輪５５と、ピニオンギア１２の外周に回転不能に装着された内輪５６と、ステンレス合金製の複数のローラ５７とを有している。外輪５５の前部には、外輪５５に接触して外輪５５とローラ５７とを覆うシール部材６５が設けられている。
【００３７】
外輪５５は、たとえばステンレス合金製の厚肉リング状の部材であり、外周部に複数の突出部５５ａを有している。これらの突出部５５ａは第２筒部１４ｂ側に設けられた凹部１４ｅに係合している。ここで、突出部５５ａの先端と第２筒部１４ｂの凹部１４ｅとの間には径方向の隙間が比較的広く確保され、一方、回転方向へは隙間が狭くなっている。このため、外輪５５は、内輪５６及びローラ５７によって自動調芯されるようになっている。また、外輪５５の内周面にはくい込み部と遊転部とを有するカム面（図示せず）が形成されている。外輪５５の軸方向の長さは、ローラ５７の軸方向の長さより短くなっている。
【００３８】
外輪５５の後方において第２筒部１４ｂの内部には回動自在な保持部材５８が収納されている。保持部材５８は、複数のローラ５７を周方向に間隔を隔てて保持する部材であり、ほぼ円板状の本体部５８ａと、本体部５８ａから軸方向前方に突出する複数の突出部５８ｂとを有している。複数の突出部５８ｂは、周方向に等角度間隔で形成されており、隣接する突出部５８ｂの間に複数のローラ５７が配置されている。
【００３９】
このような状態では、複数のローラ５７は、外輪５５と内輪５６との間に配置され、保持部材５８により円周方向に移動させられて両輪の間にくい込む作動位置と両輪の間で遊転する非作動位置とをとり得る。また複数のローラ５７は、保持部材５８に対して軸方向前方から組み付け可能である。なお、ローラ５７が作動位置にあるクラッチオン状態では、外輪５５に対して内輪５６は糸繰り出し方向にのみ相対回転が不能であり、ローラ５７が非作動位置にあるクラッチオフ状態では、外輪５５に対して内輪５６は両方向に相対回転自在である。
【００４０】
また、複数のローラ５７は、コイルばね５９によって作動位置側に付勢されている。コイルばね５９は、突出部５８ｂの一側面に形成された凹穴５８ｃに収納されており、ローラ５７を作動位置側（くい込み部側）に付勢している。
【００４１】
内輪５６は段差を有する、たとえばステンレス合金製の筒状の部材であり、小径側の内周面にはピニオンギア１２に形成された面取り部１２ｃに係合する小判孔５６ａが形成されている。大径側の内周面には雌ねじ部５６ｂが形成されている。大径側の外周面には、ローラ５７に接触する大径の接触部５６ｃが形成され、小径側の外周面には、環状の係止溝５６ｄが形成されている。係止溝５６ｄには、止め輪６７がはめ込まれている。止め輪６７は保持部材５８の後端側に配置されており、この止め輪６７により保持部材５８の軸方向後方への移動が規制されている。内輪５６の大径の先端部には、ロータ３のボス部３５の後端部が当接している。
【００４２】
ここでも、マグネシウム合金製のロータ３の電解腐食を防止するために、内輪５６と接触するボス部３５の後端部に合成樹脂製の孔あきのキャップ部材３９が装着されている。このキャップ部材３９の円板部３９ａがボス部３５の後端面と内輪５６の先端部との間に配置され、円周部３９ｂの外周面にシール部材６５の先端が接触している。
【００４３】
このキャップ部材３９は、電解腐食を防止するとともに、ワンウェイクラッチ５１の内周側からの液体の浸入を防止するシール部材としても機能している。すなわち、ボス部３５と内輪５６との間にキャップ部材３９を配置することで、ナット３３により押圧されたボス部３５によりキャップ部材３９が圧縮されボス部３５の後端面と内輪５６の先端面との間をシールする。
【００４４】
さらに、シール部材６５のシール性能を安定させるための機能も有している。すなわち、先端をボス部３５の外周面に直接接触させると、ロータ３をピニオンギア１２に固定するとき、ロータ３の芯出しを正確に行わないと、シール部材６５とのシール性が悪くなる。そこで、キャップ部材３９を装着してシール部材６５との芯出しを予め行うことで、シール部材６５のシール性能を安定させることができる。
【００４５】
内輪５６の雌ねじ部５６ｂには、筒状の組み付けボルト６９がねじ込まれている。組み付けボルト６９は、ピニオンギア１２に対して回転自在である。組み付けボルト６９は、ワンウェイクラッチ５１を組み付けるときに、内輪５６に装着して、ワンウェイクラッチ５１をユニット化して一度に組み付けできるようにするために装着される。
【００４６】
シール部材６５は、外輪５５及びローラ５７の軸方向前方への移動を規制するとともに、筒状部１４の内部を水密にシールするために設けられたリング状の単純な形状の部材である。シール部材６５は、外輪５５及びローラ５７の前方に筒状部１４の第２筒部１４ｂの内周面とキャップ部材３９の外周面とに接触して配置されている。シール部材６５は、ステンレス合金などの金属製のワッシャ状の補強リング６５ａと、補強リング６５ａを包み込むように形成された、たとえば、ＮＢＲ、ＳＢＲ、シリコーンゴム等の合成樹脂弾性体製のシール部６５ｂとを有している。シール部６５ｂの内周側の先端には、リップ部６５ｃが形成されている。リップ部６５ｃは、キャップ部材３９の外周面に当接し断面が先細りの形状である。シール部材６５は、係止溝１４ｄにはめ込まれた抜け止めばね６６により第２筒部１４ｂにおいて前方への移動を規制されている。抜け止めばね６６は、たとえば、弾性を有する金属製の線材を５角形に折り曲げて形成されている。この抜け止めばね６６によって軸方向前方にシール部材６５が移動するのを規制することにより、ワンウェイクラッチ５１全体の軸方向の移動を規制している。
【００４７】
切換操作機構５２は、図１及び図３に示すように、筒状部１４の内部において保持部材５８の後方に配置された切換操作板６１と、筒状部１４のさらに後方に配置された操作ロッド６２と、操作ロッド６２の後端に連結された操作レバー６３とを有している。切換操作板６１は、図３に示すように、ほぼ円板状の部材であり、３つの係合用の孔６１ａと、操作用係合部６１ｂとを有している。３つの係合用の孔６１ａには、保持部材５８の裏面に形成された凸部５８ｄ（図４）が係合し、操作用係合部６１ｂには操作ロッド６２が係合している。
【００４８】
操作ロッド６２は、リールボディ２ａに例えば９０度程度の所定の角度範囲で回動自在に支持されており、図示しないトグルばねにより各回動端で保持される。ここで、操作ロッド６２の先端部６２ａは、回動中心から偏芯して前方に延びている。この先端部６２ａの先端にリング状の作用部６２ｂが装着されており、先端部６２ａが筒状部１４の段差部１４ｃに形成された扇形の第２貫通孔２０ｂを貫通して作用部６２ｂが操作用係合部６１ｂに係合している。この先端部６２ａは、筒状部１４の外周面より内周側で貫通して形成された第２貫通孔２０ｂを貫通しており筒状部１４の径方外方から外部に露出していない。このように、２つの貫通孔２０ａ，２０ｂや第１筒部１４ａなどのリールボディ２ａ内部との貫通部分が全て円形の水密にシールしやすい構造の筒状部１４の内周側に配置されているので、リング状で簡単な構造のシール部材６５によりリール本体２を簡単な構造で確実にシールできる。
【００４９】
また、このような逆転防止機構１３のユニット化部分では、構成部材のすべてを軸方向に沿って組み付け可能であり、ユニット化する際の組付けの自動化が容易になる。
【００５０】
〔リールの操作及び動作〕
キャスティング時には、ベール４１を糸開放姿勢側に倒す。これにより、第１及び第２ベール支持部材４０，４２は同方向に回転する。
【００５１】
キャスティング時等においては、ロータ３が逆転しないように、操作レバー６３によりローラ５７を作動位置に移動させる。すなわち、操作レバー６３を一方に回動することにより、操作ロッド６２を同方向に回動させる。この力は、操作ロッド６２の作用部６２ｂを介して切換操作板６１に直接伝達され、さらに保持部材５８を介してローラ５７に伝達される。これにより、ローラ５７が、作動位置に移動可能な状態となる。このような状態でロータ３が正方向（釣り糸巻取り方向）に回転すると、ローラ５７は外輪５５と内輪５６との間で遊転する。このため、ロータ３の正方向の回転が妨げられることはない。一方、ロータ３が逆方向（釣り糸繰り出し方向）に回転すると、ローラ５７は外輪５５と内輪５６との間にくい込み、両者は相対回転不能な状態となる。ここで、外輪５５は、筒状部１４でリール本体２に固定されているので、内輪５６の回転、すなわちロータ３の一方向（釣り糸が繰り出される方向）への回転が禁止される。
【００５２】
キャスティングが終了すると、ハンドル１を糸巻取方向に回転させるなどしてベールアーム３４を糸巻取姿勢に戻す。すると、釣り糸がベール４１を介してラインローラ４４に案内され、そこから湾曲してスプール４に案内される。
【００５３】
この状態で仕掛けに魚がかかったり仕掛けが根がかりしたときに、釣り糸に張力が作用すると、ロータ３の逆転が禁止されているので、ラインローラ４４が前方に引っ張られ、ロータ３に軸方向前方へのスラスト力が作用する。ロータ３に前方へのスラスト力が作用すると、そのスラスト力がピニオンギア１２に伝達され、さらにピニオンギア１２を介して軸受１６に伝達される。しかし、軸受１６は規制部材１７により外輪１６ｂの前方への移動が規制されているので、軸受１６からワンウェイクラッチ５１にスラスト力が伝達されない。
【００５４】
操作レバー６３を前記とは逆方向に回動すると、前記と同様の動作によってローラ５７が非作動位置に移動させられる。この状態では、ローラ５７は、外輪５５と内輪５６との間にくい込むことはできない。したがって、外輪５５に対して内輪５６が正逆両方向に回転可能となり、ロータ３の釣り糸繰り出し方向への回転が可能となる。
【００５５】
釣り糸巻取り時には、ベールアーム３４を糸巻取り姿勢側に倒した状態でハンドル１を回転させると、この回転力はハンドル軸１０及びフェースギア１１を介してピニオンギア１２に伝達される。このピニオンギア１２に伝達された回転力は、その前部１２ａを介してロータ３に伝達され、ロータ３が糸巻取方向に回転する。
【００５６】
一方、ピニオンギア１２に噛み合う中間ギア２３によって螺軸２１が回転し、螺軸２１に噛み合うスライダ２２が前後方向に移動する。このため、スプール軸１５及びスプール４が前後方向に往復動し、ベール４１及びラインローラ４４によってスプール４に案内された釣り糸は、スプール４の外周に前後方向に均一に巻き取られる。
【００５７】
このような操作を行っているときやリールを洗浄するときにロータ３とスプール４の隙間から海水等の液体が浸入しても、筒状部１４の先端にシール部材６５が配置されているので、液体が筒状部１４の内部に浸入しにくい。このため、筒状部１４の内部に収納された逆転防止機構１３が腐食しにくくなる。また、筒状部１４からリールボディ２ａの内部へも液体が浸入しにくくなるので、ロータ駆動機構５やオシレーティング機構６も腐食しにくくなる。
【００５８】
〔他の実施形態〕
（ａ）前記実施形態では、操作レバー６３をリールボディ２ａの後部に配置したが、リール本体の下面（釣り竿から離れる面）に配置してもよい。
【００５９】
（ｂ）前記実施形態では、筒状部１４の内部に軸受１６と、逆転防止機構１３とを収納したが、軸受１６だけを収納して、爪式の逆転防止機構を筒状部１４の外方に配置してもよい。
【００６０】
【発明の効果】
以上のように本発明によれば、筒状部の開口端をシール部材でシールしているので、筒状部からの液体の浸入を簡素な構造で確実に防止できる。
【図面の簡単な説明】
【図１】  本発明の一実施形態によるスピニングリールの断面図。
【図２】  その要部断面図。
【図３】  逆転防止機構の分解斜視図。
【図４】  ワンウェイクラッチの断面拡大図。
【図５】  リールボディの正面部分図。
【符号の説明】
２  リール本体
３  ロータ
４  スプール
１１  フェースギア
１２  ピニオンギア
１３  逆転防止機構
１４  筒状部
５１  ワンウェイクラッチ
５２  切換操作機構
５５  外輪
５６  内輪
５７  ローラ
５８  保持部材
５９  コイルばね
６１  切換操作板
６２  操作ロッド
６２ｂ  作用部
６３  操作レバー
６５  シール部材
６５ｃ  リップ部
【図１】
0003840009.tif 000002
【図２】
0003840009.tif 000003
【図３】
0003840009.tif 000004
【図４】
0003840009.tif 000005
【図５】
0003840009.tif 000006